(57)【要約】【課題】独立に発光を制御可能な複数の発光領域からなる発光手段を有する照明装置において、画像の切り替わり時に輝度ムラが発生することを抑制する。【解決手段】画像切り替わり前の表示時間が閾値以上の場合（Ｓ４０３）、輝度変化が閾値以上の領域について、温度検出を行う頻度を通常時より多くする（Ｓ４０５）。画像切り替わり前の画像の表示時間が閾値以上の場合（Ｓ４０３）、輝度変化が閾値未満の領域について、温度検出を行う頻度を通常時より少なくする（Ｓ４０６）。画像切り替わり前の画像の表示時間が閾値未満の場合（Ｓ４０３）は、通常時と同じ処理とする。【選択図】図５
2014186122.tif 000002
【特許請求の範囲】
【請求項１】
表示する画像に応じて独立に発光を制御可能な複数の発光領域からなる発光手段と、
前記複数の発光領域に対応する複数の温度センサと、
各発光領域について、対応する温度センサから検出値を取得し、当該検出値と、表示する画像における当該発光領域に対応する画像領域の輝度と、に応じて発光量を決定する処理を行う制御手段と、
を備え、
前記制御手段は、表示する画像の時間的な輝度変化に応じて前記処理を行う頻度を決定することを特徴とする照明装置。
【請求項２】
前記制御手段は、表示する画像の輝度を１又は複数のフレームごとに取得し、取得した輝度の変化に応じて前記処理を行う頻度を決定する請求項１に記載の照明装置。
【請求項３】
前記制御手段は、表示する画像の一定の期間内での平均的な輝度を取得し、取得した輝度の変化に応じて前記処理を行う頻度を決定する請求項１に記載の照明装置。
【請求項４】
前記制御手段は、表示する画像が切り替わった場合に、画像の切り替わり前後での輝度変化に応じて前記処理を行う頻度を決定する請求項１に記載の照明装置。
【請求項５】
前記画像の切り替わりには、１つの画像を画面全体に表示する１画面表示と、複数の異なる画像を画面の異なる領域に表示する多画面表示と、が切り替わった場合が含まれる請求項４に記載の照明装置。
【請求項６】
前記制御手段は、表示する画像の輝度を１又は複数のフレームごとに取得し、取得した輝度の変化量が閾値以上である画像領域に対応する発光領域について、前記処理を行う頻度を増やす請求項２に記載の照明装置。
【請求項７】
前記制御手段は、表示する画像の一定の期間内での平均的な輝度を所定の間隔で取得し、取得した輝度の変化量が閾値以上である画像領域に対応する発光領域について、前記処理を行う頻度を増やす請求項３に記載の照明装置。
【請求項８】
前記制御手段は、表示する画像が切り替わった場合に、画像の切り替わり前後での輝度の変化量が閾値以上である画像領域に対応する発光領域について、前記処理を行う頻度を増やす請求項４又は５に記載の照明装置。
【請求項９】
前記制御手段は、前記輝度の変化量が閾値未満である画像領域に対応する発光領域について、前記処理を行う頻度を減らす請求項６〜８のいずれか１項に記載の照明装置。
【請求項１０】
前記制御手段は、前記輝度の変化量が閾値以上かつ互いに同程度である画像領域に対応する発光領域であって、かつ、当該変化量だけ輝度が変化する前における温度が互いに同程度であるような発光領域が複数ある場合、そのうちの一部の発光領域について、前記処理を行う頻度を増やし、他の発光領域について、前記処理を行わず、前記一部の発光領域について前記処理により決定した発光量を前記他の発光領域にも適用する請求項６〜９のいずれか１項に記載の照明装置。
【請求項１１】
前記制御手段は、前記変化量だけ輝度が変化する前の輝度で画像が継続して表示された時間が閾値以上である場合に、前記輝度の変化量が閾値以上である画像領域に対応する発光領域について、前記処理を行う頻度を増やす請求項６〜１０のいずれか１項に記載の照明装置。
【請求項１２】
前記制御手段は、前記変化量だけ輝度が変化した後に、照明装置内の温度が収束した場合、前記処理を行う頻度を増やした発光領域について当該頻度を元に戻す請求項６〜１１のいずれか１項に記載の照明装置。
【請求項１３】
前記制御手段は、前記複数の発光領域の一部についてのみ前記処理を行う場合と、前記複数の発光領域の全てについて前記処理を行う場合と、を組み合わせて繰り返す際の組み合わせを変えることにより、当該一部の発光領域について前記処理を行う頻度を増やす請求項６〜１２のいずれか１項に記載の照明装置。
【請求項１４】
前記制御手段は、複数の温度センサから同時に温度の検出値を取得可能である請求項１〜１３のいずれか１項に記載の照明装置。
【請求項１５】
請求項１〜１４のいずれか１項に記載の照明装置をバックライトとして備える画像表示装置。
【請求項１６】
表示する画像に応じて独立に発光を制御可能な複数の発光領域からなる発光手段と、
前記複数の発光領域に対応する複数の温度センサと、
を備える照明装置の制御方法であって、
各発光領域について、対応する温度センサから検出値を取得し、当該検出値と、表示する画像における当該発光領域に対応する画像領域の輝度と、に応じて発光量を決定する処理を行う制御工程と、
を有し、
前記制御工程では、表示する画像の時間的な輝度変化に応じて前記処理を行う頻度を決定することを特徴とする照明装置の制御方法。
【請求項１７】
前記制御工程では、表示する画像の輝度を１又は複数のフレームごとに取得し、取得した輝度の変化に応じて前記処理を行う頻度を決定する請求項１６に記載の照明装置の制御方法。
【請求項１８】
前記制御工程では、表示する画像の一定の期間内での平均的な輝度を所定の間隔で取得し、取得した輝度の変化に応じて前記処理を行う頻度を決定する請求項１６に記載の照明装置の制御方法。
【請求項１９】
前記制御工程では、表示する画像が切り替わった場合に、画像の切り替わり前後での輝度変化に応じて前記処理を行う頻度を決定する請求項１６に記載の照明装置の制御方法。
【請求項２０】
前記画像の切り替わりには、１つの画像を画面全体に表示する１画面表示と、複数の異なる画像を画面の異なる領域に表示する多画面表示と、が切り替わった場合が含まれる請求項１９に記載の照明装置の制御方法。
【請求項２１】
前記制御工程では、表示する画像の輝度を１又は複数のフレームごとに取得し、取得した輝度の変化量が閾値以上である画像領域に対応する発光領域について、前記処理を行う頻度を増やす請求項１７に記載の照明装置の制御方法。
【請求項２２】
前記制御工程では、表示する画像の一定の期間内での平均的な輝度を所定の間隔で取得し、取得した輝度の変化量が閾値以上である画像領域に対応する発光領域について、前記処理を行う頻度を増やす請求項１８に記載の照明装置の制御方法。
【請求項２３】
前記制御工程では、表示する画像が切り替わった場合に、画像の切り替わり前後での輝
度の変化量が閾値以上である画像領域に対応する発光領域について、前記処理を行う頻度を増やす請求項１９又は２０に記載の照明装置の制御方法。
【請求項２４】
前記制御工程では、前記輝度の変化量が閾値未満である画像領域に対応する発光領域について、前記処理を行う頻度を減らす請求項２１〜２３のいずれか１項に記載の照明装置の制御方法。
【請求項２５】
前記制御工程では、前記輝度の変化量が閾値以上かつ互いに同程度である画像領域に対応する発光領域であって、かつ、当該変化量だけ輝度が変化する前における温度が互いに同程度であるような発光領域が複数ある場合、そのうちの一部の発光領域について、前記処理を行う頻度を増やし、他の発光領域について、前記処理を行わず、前記一部の発光領域について前記処理により決定した発光量を前記他の発光領域にも適用する請求項２１〜２４のいずれか１項に記載の照明装置の制御方法。
【請求項２６】
前記制御工程では、前記変化量だけ輝度が変化する前の輝度で画像が継続して表示された時間が閾値以上である場合に、前記輝度の変化量が閾値以上である画像領域に対応する発光領域について、前記処理を行う頻度を増やす請求項２１〜２５のいずれか１項に記載の照明装置の制御方法。
【請求項２７】
前記制御工程では、前記変化量だけ輝度が変化した後に、照明装置内の温度が収束した場合、前記処理を行う頻度を増やした発光領域について当該頻度を元に戻す請求項２１〜２６のいずれか１項に記載の照明装置の制御方法。
【請求項２８】
前記制御工程では、前記複数の発光領域の一部についてのみ前記処理を行う場合と、前記複数の発光領域の全てについて前記処理を行う場合と、を組み合わせて繰り返す際の組み合わせを変えることにより、当該一部の発光領域について前記処理を行う頻度を増やす請求項２１〜２７のいずれか１項に記載の照明装置の制御方法。
【請求項２９】
前記制御工程では、複数の温度センサから同時に温度の検出値を取得可能である請求項１６〜２８のいずれか１項に記載の照明装置の制御方法。
【発明の詳細な説明】
【技術分野】
【０００１】
本発明は、照明装置及びその制御方法に関する。
【背景技術】
【０００２】
液晶表示装置のバックライトの光源に発光ダイオード（Ｌｉｇｈｔ  Ｅｍｉｔｔｉｎｇ
Ｄｉｏｄｅ、以下、ＬＥＤと略す）を用いて、表示画像の輝度に応じて局所的に（画面を分割する複数のエリア毎に）ＬＥＤの発光量を調整する技術がある。これにより、表示画像のコントラストを向上させることができる（以下、ローカルディミング制御と呼ぶ）。
【０００３】
またＬＥＤには温度特性があるため、ＬＥＤを所望の発光量で点灯させるには、温度センサ等を用いてＬＥＤ近傍の温度を検出する必要がある。
【０００４】
従って、ＬＥＤを光源とするバックライトに対してローカルディミング制御を行う場合、一定周期で複数個の温度センサからエリア毎の温度値を検出しなければならない。各エリアについて、検出したそのエリアの温度値とそのエリアの表示画像の輝度からそのエリアのＬＥＤの発光量を求め、算出した発光量で各エリアのＬＥＤを点灯させることで、ローカルディミング制御を行う液晶表示装置において輝度ムラを抑えた表示ができる。
【０００５】
特許文献１に開示されている表示装置は、複数個の温度センサによる検出温度から各画素の正確な温度を推定することによって、液晶パネルが表示する動画像の画質を向上させる技術が開示されている。具体的には、複数個の温度センサの検出結果と表示パネルの各画素の照明状況に基づいて各画素の正確な温度を推定し、推定結果に基づいて補正テーブルを選択し、選択した補正テーブルを用いて制御データを補正する。表示装置は、補正された制御データに従って、動画像を表示する。
【先行技術文献】
【特許文献】
【０００６】
【特許文献１】特開２０１０−２６２２４０号公報
【発明の概要】
【発明が解決しようとする課題】
【０００７】
図６のように閾値以上の時間同じ画像を表示後、任意のタイミングで異なる明るさの画像に切り替わった場合を考える。従来の技術では、エリアによっては、温度センサの検出タイミングと画像切り替わりのタイミングとの関係に起因して、画像切り替わり後の実際の温度値に応じた発光量でＬＥＤを点灯できないことがある。なぜならば、通常、マイコン等が一度に検出できる温度値の数には限りがあるため、一度に全ての温度値を検出することができない。従って、マイコン等は複数の温度センサによる温度値を一度に検出可能な数ずつ（例えば１個ずつ、２個ずつ等）順番に検出しなければならず、全ての温度センサから温度値を検出し終えるのに時間がかかる。そのため、温度の検出値と実際の温度値とに差異が生じ、画像切り替わり後の画面に輝度ムラが発生し、画質劣化するという課題があった。また、複数のマイコンを設けたり、複数の動作を並列処理可能なマルチタスク型マイコンを用いたりすると、コストが高くなってしまうという課題があった。
【０００８】
以下、図６を用いて輝度ムラの発生について説明する。
【０００９】
図６は、切り替わる前後の表示画像を示しており、図６（ａ）の切り替わり前の表示画
像は、表示パネルの両端部分に黒帯画像を表示し、中央部分に明るい画像を表示している。図６（ｂ）の切り替わり後の表示画像は、表示パネルの全面に明るい画像を表示している。
【００１０】
図１７は、表示パネルにある温度センサの位置と個数を例示しており、例えば、図１７に示すような位置に８個の温度センサがあり、１個の温度センサから温度値を検出するのに１秒かかると仮定する。また、温度センサ１から順に温度を検出し、全ての温度センサの温度を検出後、各ＬＥＤの発光量を算出し、設定する。全てのＬＥＤの発光量を算出するのに１秒かかるとする。この場合、温度センサ１が温度を検出開始してから温度センサ８の検出が終了するまで８秒かかり、ＬＥＤの発光量の算出に１秒かかる。そのため、全て領域について温度の検出値に基づく発光量を算出して全ての領域のＬＥＤに設定する（以下、計算設定という）のに９秒の時間を要する。但し、算出された発光量をＬＥＤに設定するのに要する時間は僅かであるため、無視するものとする。
【００１１】
例えば、図１８のように画像切り替わりが温度センサ４の検出終了直後にあった場合、５秒後の計算設定３１により、温度センサ１から４がある領域のＬＥＤは、画像切り替わり前に取得された温度値から算出した発光量が設定され、点灯する。このとき、温度センサ１から４がある領域の実際の温度は、発光量の算出に用いられた温度の検出値から変化しているため、設定される発光量は実際の温度に対して適切な値となっていない。計算設定３１から更に９秒後に、画像切り替わり後の温度値から算出した発光量が全領域のＬＥＤに設定され、点灯する（計算設定３２）。この発光量は、計算設定３１よりも、実際の温度に対して適切な値になっていると考えられる。
【００１２】
図６の例では、切り替わり前の画像（図６（ａ））の左右側両端部分は黒帯画像であるため、画像切り替わり前は、黒帯画像に対応する領域のＬＥＤは点灯しない（又は黒帯領域以外の中央部分のＬＥＤより低輝度で点灯する）（図１９（ａ））。そのため、図６（ａ）の画像を閾値以上の時間表示し続けた場合、両端部分にあるＬＥＤ近傍の温度は、中央部分のＬＥＤ近傍の温度と比較して大幅に低くなる。よって、図１７における温度センサ１と４がある領域のＬＥＤは、温度が低下している状態で検出された温度値に基づき算出した発光量が設定され点灯する（計算設定３１）。
【００１３】
そのため、画像切り替わり後（図６（ｂ））に全画面で均一の輝度で点灯させるための発光量を全領域のＬＥＤに設定しても、図１９（ｂ）のように両端部分の温度センサ１，４に対応するエリアの輝度は、中央部分と異なる輝度となり、輝度ムラとなる。ＬＥＤの温度特性は、高温ほど輝度が低下する。黒帯表示時（低温時）に算出された発光量で点灯させると、画像切り替わり後の温度は黒帯表示時より高くなっているため、目標より低輝度となってしまう。
【００１４】
また、図１７における温度センサ５と８がある領域のＬＥＤは、画像切り替わり後に温度センサで検出した温度値に基づき算出された発光量が設定される（計算設定３１）。しかし、この計算設定３１から計算設定３２までに９秒の時間があり、その間も表示パネル内の温度、特に温度センサ５，８に対応する領域の温度は上昇しているため、徐々に輝度ムラが発生する。
【００１５】
本発明は、独立に発光を制御可能な複数の発光領域からなる発光手段を有する照明装置において、画像の切り替わり時に輝度ムラが発生することを抑制する技術を提供することを目的とする。
【課題を解決するための手段】
【００１６】
本発明は、表示する画像に応じて独立に発光を制御可能な複数の発光領域からなる発光
手段と、
前記複数の発光領域に対応する複数の温度センサと、
各発光領域について、対応する温度センサから検出値を取得し、当該検出値と、表示する画像における当該発光領域に対応する画像領域の輝度と、に応じて発光量を決定する処理を行う制御手段と、
を備え、
前記制御手段は、表示する画像の時間的な輝度変化に応じて前記処理を行う頻度を決定することを特徴とする照明装置である。
【００１７】
本発明は、表示する画像に応じて独立に発光を制御可能な複数の発光領域からなる発光手段と、
前記複数の発光領域に対応する複数の温度センサと、
を備える照明装置の制御方法であって、
各発光領域について、対応する温度センサから検出値を取得し、当該検出値と、表示する画像における当該発光領域に対応する画像領域の輝度と、に応じて発光量を決定する処理を行う制御工程と、
を有し、
前記制御工程では、表示する画像の時間的な輝度変化に応じて前記処理を行う頻度を決定することを特徴とする照明装置の制御方法である。
【発明の効果】
【００１８】
本発明によれば、独立に発光を制御可能な複数の発光領域からなる発光手段を有する照明装置において、画像の切り替わり時に輝度ムラが発生することを抑制することができる。
【図面の簡単な説明】
【００１９】
【図１】実施例１に係る画像表示装置の概略構成を示す図
【図２】実施例に係る表示パネルと温度センサとバックライト部の概略構成を示す図
【図３】実施例に係る温度センサの位置を示す図
【図４】実施例に係る温度センサとＬＥＤの概略構成を説明する図
【図５】実施例１に係る温度検出部の動作を説明するフローチャート
【図６】実施例１に係る画像切り替わり前後の画像を示す図
【図７】実施例１に係る温度検出部における温度検出頻度の制御について説明する図
【図８】実施例２に係る画像表示装置の概略構成を示す図
【図９】実施例２に係る温度検出部の動作を説明するフローチャート
【図１０】実施例２に係る温度検出部における温度検出頻度の制御を説明する図
【図１１】実施例３に係る画像表示装置の概略構成を示す図
【図１２】実施例３に係る表示形態変更前後の画像を示す図
【図１３】実施例３に係る温度検出部の動作を説明するフローチャート
【図１４】実施例３に係る温度検出部における温度検出頻度の制御を説明する図
【図１５】実施例４に係る画像表示装置の概略構成を示す図
【図１６】実施例４に係る温度検出部における温度検出頻度の制御を説明する図
【図１７】従来の表示パネル内にある温度センサの位置を示す図
【図１８】従来の温度検出の動作を説明する図
【図１９】従来の温度検出方法を用いた際の表示画像を示す図
【発明を実施するための形態】
【００２０】
（実施例１）
本発明の実施例１は、本発明の照明装置を液晶表示装置のバックライトに適用した例である。なお、本発明は液晶表示装置のバックライトに限らず適用可能である。以下、黒帯
のある静止画像を閾値以上の時間表示し、その後、当該静止画像と異なる、黒帯のない静止画像を表示する場合のバックライト制御を例に本発明の実施例を説明する。なお、切り替え前後の画像は上記の例に限らず、また静止画像だけでなく動画像を表示する場合にも本発明は適用可能である。詳細は後述する。
【００２１】
以下、図面を参照しながら本発明の実施例を説明する。
図１は、本発明の実施例１に係る画像表示装置１０の概略を示す図である。
画像表示装置１０は、画像処理部１０１、表示パネル１０２、画像切り替え検出部１０３、画像表示時間計測部１０４、輝度変化検出部１０５、温度検出部１０６、温度センサ２００、２０１、２０２、・・・を備える。更に、画像表示装置１０は、バックライト部３００、バックライト制御部３０１、バックライト駆動部３０２、ＬＥＤ３１０、３１１、３１２、・・・、を備える。
【００２２】
画像処理部１０１は、入力画像に対して、色補正や輪郭強調等の画像処理を行う。
表示パネル１０２は、画像処理部１０１が出力した画像信号に基づく画像を表示する。
【００２３】
図２は、表示パネル１０２と温度センサ２００、２０１、２０２、・・・と、バックライト部３００の構成を示す図である。
【００２４】
表示パネル１０２の背面に対面させて、Ｎ個の温度センサ２００、２０１、２０２、・・・がマトリクス状に配置されている。表示パネル１０２は複数（ここではＮ個とする）の矩形領域からなり、Ｎ個の温度センサ２００、２０１、２０２、・・・は、表示パネル１０２のＮ個の矩形領域の各々に対応して配置されている。但し、Ｎは２以上の自然数である。各温度センサは、所定のサンプリング間隔で周囲の温度を検出し、温度の検出値（以下、温度値という）を温度検出部１０６へ出力する。
【００２５】
また、各温度センサによる温度値は、温度センサの配置位置に対応する矩形領域の中心に位置する画素の温度に等しいと見做す。実施例１では、図３のようにＮ＝８として、８個の温度センサ２００〜２０７を備える構成を例に説明する。温度センサ２００に対応する左上の矩形領域を、便宜的に温度センサの符号を流用して領域２００と呼び、その他の領域も同様に領域２０１、領域２０２、・・・と呼ぶ。
【００２６】
表示パネル１０２のバックライトとして、Ｍ個のＬＥＤ３１０、３１１、３１２、・・・がマトリクス状に配置されている。但し、Ｍは２以上の自然数であり、ＬＥＤの個数Ｍは、温度センサの個数Ｎより大幅に多いとする。図４は、１つの矩形領域に配置される温度センサとＬＥＤの構成を示す図である。矩形領域は、独立に発光を制御可能なバックライトの発光領域である。すなわち、バックライトは複数の発光領域からなり、温度センサは発光領域毎に設けられている。例えば、領域２００においては、温度センサ２００は領域２００の中央に配置され、縦８個×横８個のＬＥＤを用いて領域２００を照明し、温度センサ２００で領域２００の温度を検出する。
【００２７】
温度センサが対応する矩形領域と各ＬＥＤが照明する矩形領域の配置位置、形状、個数等は実施例１に限るものではない。例えば、矩形領域による画面分割数はより多くても良いし少なくても良い。
【００２８】
画像切り替え検出部１０３は、図示していないフレームメモリ等を用いて、入力画像の前後フレームで異なる画像に切り替わったことを検出し、画像切替信号を出力する。画像の切り替わりを判断する方法として、例えば平均輝度レベルの変化や、フレーム差分ヒストグラムの変化等を用いる方法等がある。
【００２９】
画像表示時間計測部１０４では、静止画像の切り替わりから次の静止画像の切り替わりまでの時間（表示時間）を計測し、計測した表示時間の情報を表示時間信号として出力する。計測の開始と終了のタイミングは、画像切り替え検出部１０３から出力される画像切替信号に基づいて決定される。
【００３０】
輝度変化検出部１０５は、領域２００から領域２０７の各領域の画像切り替わり前後での輝度変化が閾値よりも大きいか否か判定し、判定結果に基づき領域毎の輝度変化検出信号を出力する。
【００３１】
温度検出部１０６は、画像切り替え検出部１０３が出力した画像切替信号と、画像表示時間計測部１０４が出力した表示時間信号と、輝度変化検出部１０５が出力した領域毎の輝度変化検出信号に基づいて、各領域の温度センサから温度値を取得する。温度検出部１０６は、取得した温度値をＡ／Ｄ変換して出力する。実施例１では、温度検出部１０６が一度に取得できる温度値の個数を１個とし、１個の温度センサから温度値を取得するのに要する時間を１秒として説明する。各温度センサから温度値を取得する詳細な動作については、後述する。
【００３２】
バックライト制御部３０１は、各ＬＥＤに対してローカルディミング制御を実行する。バックライト制御部３０１は、入力画像の輝度信号に基づき、各矩形領域に対応する画像領域の輝度信号と温度検出部１０６より出力された温度値に基づいて、ＬＥＤ３１０、３１１、３１２、・・・のそれぞれの発光量を演算し、各ＬＥＤの照度設定値を出力する。実施例１では、全てのＬＥＤの発光量を算出するのに要する時間を１秒として説明する。
【００３３】
バックライト駆動部３０２は、バックライト制御部３０１から出力された照度設定値に基づく電流値によって各ＬＥＤを駆動し、各ＬＥＤを点灯させる。実施例１では、照度設定値に基づいて各ＬＥＤを点灯させるために要する時間は僅かであるため、無視するものとする。
【００３４】
実施例１の場合、画像の切り替わりが無く、かつ、表示パネル内の温度に変化がない時（以下、通常時と呼ぶ）、温度センサ２００が温度を検出開始してから温度センサ２０７の検出が終了するまで８秒、全てのＬＥＤの発光量を算出するのに１秒かかる。すなわち、通常時は、１回の計算設定（照度設定値の出力）のために、全ての領域について温度値の検出及び当該温度値に基づく発光量の算出が行われるため、１回の計算設定に９秒の時間を要する。
【００３５】
以下、温度検出部１０６の動作について説明を行う。
図５は、温度検出部１０６の動作を説明するフローチャートである。
【００３６】
温度検出部１０６は、画像切り替え検出部１０３から出力された画像切替信号がある場合（Ｓ４０１：Ｙｅｓ）、画像表示時間計測部１０４から切り替わり前の画像が継続して表示された時間（表示時間）を取得する（Ｓ４０２）。温度検出部１０６は、切り替わり前の画像の表示時間が閾値以上か判定する（Ｓ４０３）。この閾値は、例えば、画像表示装置１０の内部の温度が切り替わり前の画像に応じた温度で収束しているか否かを判定できるように設定する。
【００３７】
切り替わり前の画像の表示時間が閾値以上の場合（Ｓ４０３：Ｙｅｓ）、温度検出部１０６は、画像の切り替わり前後での輝度変化が閾値以上か領域毎に判定する（Ｓ４０４）。この閾値は、例えば、輝度変化に伴う温度変化に起因する輝度ムラが許容できる程度であるか否かを判定できるように設定する。
【００３８】
画像の切り替わり前後での輝度変化が閾値以上と判定される領域（Ｓ４０４：Ｙｅｓ）については、温度検出部１０６は、当該領域の温度検出を行う頻度を通常時より多くする（Ｓ４０５）。
【００３９】
画像の切り替わり前後での輝度変化が閾値未満と判定される（Ｓ４０４：Ｎｏ）領域については、温度検出部１０６は、当該領域の温度検出を行う頻度を通常時より少なくする（Ｓ４０６）。
【００４０】
切り替わり前の画像の表示時間が閾値未満の場合（Ｓ４０３：Ｎｏ）、温度検出部１０６は、通常時と同じ処理を行う。ここで、ある領域の温度検出頻度とは、一定時間当たりの当該領域の温度センサの温度検出回数のことである。
【００４１】
その後、各領域間の温度差が閾値以上の場合（Ｓ４０７：Ｎｏ）、温度検出部１０６は、現在の温度検出頻度で温度値を検出し続ける。各領域間の温度差が閾値未満の場合（Ｓ４０７：Ｙｅｓ）、温度検出部１０６は、通常時と同じ処理に戻す（Ｓ４０８）。この閾値としては、例えば、２度とする。この処理は、表示画像切り替えに伴う画像表示装置内（照明装置内）の温度変化の収束を判定するための処理であり、切り替わり後の画像における輝度分布によって閾値を異ならせても良い。
【００４２】
例えば、切り替わり後の画像が図６（ｂ）のように画面全域で均一の輝度の画像の場合には、各領域間の温度差が、温度差に起因する輝度ムラを許容できる程度に小さくなった、と判定できるように閾値を設定する。一方、切り替わり後の画像が図６（ａ）のように領域間で輝度差がある場合には、輝度差のある領域間については、当該領域間の温度差が当該輝度差に応じた適切な温度差になったと判定できるように閾値を設定すると良い。
【００４３】
図６は、切り替わり前後の表示画像の一例を示しており、図６（ａ）の切り替わり前の表示画像は、表示パネルの両端に黒帯画像があり、中央部分に明るい画像がある。図６（ｂ）の切り替わり後の表示画像は、画面全域に明るい画像がある。
【００４４】
次に図７を用いて、実施例１の画像の切り替わり後の温度検出頻度の制御について説明する。
【００４５】
図６（ａ）に示すような、領域によって輝度が大きく異なる画像を閾値以上の時間表示した後、図６（ｂ）のように輝度が全面均一な画像に切り替わった場合について考える。図３における領域２００、２０３、２０４、２０７は輝度変化が閾値以上の領域であるため、温度検出部１０６は、温度センサ２００、２０３、２０４、２０７からの検出頻度を通常時より多くする。一方、図３における領域２０１、２０２、２０５、２０６は輝度変化が閾値未満の領域であるため、温度検出部１０６は、温度センサ２０１、２０２、２０５、２０６からの検出頻度を通常時より少なくする。
【００４６】
例えば、温度センサ２０３から検出終了直後に画像の切り替わりが発生した場合、温度検出部１０６は、それまで検出した温度値（温度センサ２００，２０１，２０２，２０３）は破棄する。すなわち、温度検出部１０６は、次回の計算設定のために実行中であった温度値の取得処理を中止し、次回の計算設定のための温度値の取得処理を改めて開始する。この時、温度検出部１０６は、輝度変化が閾値以上の領域の温度センサ（温度センサ２００、２０３、２０４、２０７）の温度検出頻度が通常時よりも多くなるような態様で温度値の取得処理を開始する。
【００４７】
図７（ａ）の例では、温度検出部１０６は、３回の計算設定のうち２回は、輝度変化が閾値以上の領域の温度センサについてのみ温度値の取得を行う。更に、３回の計算設定の
うち１回は、全部の領域の温度センサについて温度値の取得を行う。
【００４８】
これにより、例えば領域２００について見ると、画像切り替わり後に取得された温度値に基づき算出された発光量は計算設定１において設定される。そのため、画像切り替わり前に取得された温度値、すなわち実際の温度とずれた温度に基づき算出された適切でない発光量でＬＥＤが点灯することにより輝度ムラが生じる時間は画像切り替わりから５秒間となる。
【００４９】
一方、従来は温度検出頻度を変更しない。すなわち、毎回の計算設定において、全領域の温度センサについて温度値の取得が行われる。図７（ｂ）のように、領域２００について見ると、画像切り替わり後に取得された温度値に基づき算出された発光量は計算設定６において設定される。そのため、画像切り替わり前に取得された温度値、すなわち実際の温度とずれた温度に基づき算出された適切でない発光量でＬＥＤが点灯することにより輝度ムラが生じる時間は１４秒間となる。よって、実施例１は従来と比較して半分以下の時間で輝度ムラを抑制することができる。
【００５０】
ここで、計算設定のために温度値取得を行う温度センサの組み合わせの繰り返しパターンの最小単位を「サイクル」と定義する。
【００５１】
図７（ｂ）の従来例では、毎回の計算設定で温度値取得を行う温度センサの組み合わせが同じ（全ての温度センサから温度値を取得する）であるため、１回の計算設定が１サイクルをなす。そして、温度検出頻度を１サイクルでの温度検出回数として考えると、例えば温度センサ２００については、１サイクルで１回、温度値の取得が行われ、１サイクルの長さは９秒であるから、温度検出頻度は９秒に１回（約０．１１回／秒）である。
【００５２】
一方、図７（ａ）に示す実施例１では、輝度差が閾値以上の領域についてのみ温度値取得を行う計算設定２回と、全ての領域について温度値取得を行う計算設定１回と、の計３回の計算設定が１サイクルをなす。輝度差が閾値以上の領域についてのみ温度値取得を行う計算設定に要する時間は５秒であり、全ての領域について温度値取得を行う計算設定に要する時間は９秒であるから、１サイクルの長さは１９秒である。例えば温度センサ２００について温度検出頻度を考えると、１サイクルで３回の温度値取得が行われるから、温度検出頻度は１９秒に３回（約０．１６回／秒）である。温度センサ２０１について温度検出頻度を考えると、１サイクルで１回の温度値取得が行われるから、温度検出頻度は１９秒に１回である（約０．０５回／秒）。
【００５３】
よって、画像切り替わり前後で輝度変化が大きい領域の温度センサの温度検出頻度は通常時より多くなり、画像切り替わり前後で輝度変化が小さい領域の温度センサの温度検出頻度は通常時より少なくなる。これにより、画像切り替わり前後で輝度変化が大きい領域の輝度ムラを低減することができる。
【００５４】
なお、図７（ａ）の例では、１サイクルを３回の計算設定とし、３回に２回の割合で輝度変化が大きい領域の温度センサのみ温度値取得を行い、残り１回で全領域の温度センサの温度値取得を行う繰り返しパターンを示した。１サイクルをどのようなパターンで構成するかは上記の例に限られない。輝度変化が大きい領域の温度センサの温度検出頻度が通常時より多くなり、輝度変化が小さい領域の温度センサの温度検出頻度が通常時より少なくなるようなパターンであればよい。すなわち、図５のＳ４０５，Ｓ４０６の設定は図７（ａ）の例に限られない。また、通常時と比較してどの程度温度検出頻度を増加又は減少させるかも、上記の例に限られない。
【００５５】
その後、温度検出部１０６は、図５のＳ４０７〜Ｓ４０８の処理により、各領域間の温
度差がなくなるまで温度検出頻度を変更して温度値を検出する。表示パネル内の温度が飽和（収束）して各領域間の温度差がなくなった後、温度検出部１０６は、通常時の温度検出頻度に戻して温度検出を行う。
【００５６】
以上により、実施例１では、閾値以上の時間、同じ静止画像を表示した後に他の静止画像に切り替わった場合に、複数の領域のうち、画像切り替わり前後で輝度変化が閾値以上の領域については、温度検出頻度が通常時より多くされる。また、複数の領域のうち、輝度変化が閾値未満の領域については、温度検出頻度が通常時より少なくされる。これにより、温度変化が閾値以上の領域の温度値を短時間（高頻度）で検出でき、輝度変化に伴う温度変化に精度良く追随して実際の温度に近い温度値に基づき算出された発光量でＬＥＤを点灯させることができる。そのため、画像切り替わり後の輝度ムラを低減することができる。また、複数のマイコンを設けたり、複数の動作を並列処理可能なマルチタスク型マイコンを用いたりする場合に比べ、低コスト化が図れる。
【００５７】
実施例１は、静止画像の「黒帯あり画像」から「黒帯なし画像」への切り替わりに限るものではなく、静止画像の「黒帯なし画像」から「黒帯あり画像」への切り替わりにおいても適用できる。その他、画像切り替わり前後での輝度変化が閾値以上となるような領域が存在する静止画像の切り替わり一般に適用できる。また、本発明は、動画像の切り替わりにも適用できる。動画像の場合の画像の切り替わりの判定は、例えば、領域毎の平均輝度を一定のフレーム毎に取得し、少なくとも１つの領域において平均輝度が閾値以上変化した場合に、画像が切り替わったと判定することができる。これにより、例えば４：３の動画像から１６：９の動画像への切り替わりによる黒帯部分の有無の変化に限らず、夜のシーンと昼のシーンの切り替わりのようなシーンチェンジ時の温度変動に起因する輝度ムラを抑制することもできる。なお、表示する画像の輝度を１又は複数のフレームごとに取得し、取得した輝度の変化に応じて、温度センサからの検出値の取得し発光量を決定する処理を行う頻度を決定しても良い。例えば、フレーム毎に取得される前フレームからの輝度変化量をある期間にわたって積算し、その積算値に基づいて温度検出及び発光量決定の処理の実行頻度を決定するようにしても良い。或いは、表示する画像の一定の期間内での平均的な輝度を所定の間隔で取得し、取得した輝度の変化に応じて前記処理を行う頻度を決定しても良い。一定の期間は、例えば、輝度の変化に対し温度が変化する時間スケールに基づいて決めることができる。フレーム毎に輝度が大きく変化する動画像を表示した場合でも、平均的な輝度が大きく変化しなければ、温度は大きく変化しないと考えられるからである。例えば、高輝度画像と低輝度画像とが短周期で点滅するが時間的に平均した輝度が大きく変わらない場合には、温度変化は小さいが、点滅しながら全体的に輝度が上がっていくような動画像の場合には、全体的な輝度に応じて温度も上昇すると考えられる。
【００５８】
実施例１に記載の画像表示装置１０によれば、画像切り替わり前の表示時間と画像切り替わり前後の輝度変化量に応じて、温度センサの温度検出頻度を変えることで、画像切り替わり時の輝度ムラを低減させ、画質劣化を抑制することが可能である。
【００５９】
（実施例２）
実施例１において、輝度変化検出部１０５は領域毎に輝度変化検出信号を出力し、温度検出部１０６は輝度変化検出信号に応じて、領域毎に温度センサにより温度値を検出する頻度（温度検出頻度）を変更する例を説明した。
【００６０】
実施例２では輝度変化検出部１０７から輝度変化検出信号と輝度変化量信号を出力し、温度検出部１０８は輝度変化検出信号と輝度変化量信号に応じて、温度検出頻度を変更する例について説明する。
【００６１】
以下、図面を参照しながら、実施例２について説明する。
図８は、実施例２に係る画像表示装置２０の概略を示す図である。
実施例２の画像表示装置２０は、輝度変化検出部１０７と温度検出部１０８のみの構成が実施例１と異なるものである。よって、実施例２では、輝度変化検出部１０７と温度検出部１０８について説明を行う。また、輝度変化検出部１０７と温度検出部１０８以外の各処理部は、実施例１と同様の処理を実行するため、同じ参照符号を付し、説明を省略する。
【００６２】
輝度変化検出部１０７は、図３における領域２００から領域２０７の各領域の輝度変化が閾値よりも大きい場合、その領域を示す輝度変化検出信号と、輝度変化量を示す輝度変化量信号を出力する。輝度変化量信号は、例えば、８ビット画像において、輝度変化量を３段階で表す場合、輝度変化量が１００以上の場合は変化量レベル２とし、５０以上１００未満の場合は変化量レベル１とし、それ以外を変化量レベル０とする。輝度変化検出部１０７が出力する輝度変化量信号のレベル数や各レベルを分ける閾値の設定はこの例に限らない。
【００６３】
温度検出部１０８は、画像切り替え検出部１０３が出力した画像切替信号と、画像表示時間計測部１０４が出力した表示時間信号と、輝度変化検出部１０７が出力した輝度変化検出信号と輝度変化量信号に基づいて、各温度センサから温度値を取得する。そして、温度検出部１０８は、取得した温度値をＡ／Ｄ変換して出力する。実施例２では、温度検出部１０８が一度に取得できる温度値の個数を１個とし、１個の温度センサから温度値を取得する時間を１秒として説明する。各温度センサから温度値を取得する詳細な動作については、後述する。
【００６４】
図９は、実施例２の温度検出部１０８の動作を表わすフローチャートである。
【００６５】
温度検出部１０８は、画像が切り替わる前の表示時間が閾値以上の場合（Ｓ４０３：Ｙｅｓ）、温度検出部１０８は、領域毎に画像の切り替わり前後での輝度変化が閾値以上か判定する（Ｓ４０４）。
【００６６】
画像の切り替わり前後での輝度変化が閾値以上と判定される領域（Ｓ４０４：Ｙｅｓ）については、温度検出部１０８は、以下のように動作する。
【００６７】
当該領域以外の領域であって、画像切り替わり前の温度値が当該領域と同程度であり（Ｓ５０１：Ｙｅｓ）、かつ、輝度変化量信号の値が当該領域と同じであるような領域がある場合（Ｓ５０２：Ｙｅｓ）、温度検出部１０８は、当該領域の温度検出は行わない。
【００６８】
当該領域以外の領域であって、画像切り替わり前の温度値が当該領域と同程度であり（Ｓ５０１：Ｙｅｓ）、かつ、輝度変化量信号の値が当該領域と同じであるような領域がない場合（Ｓ５０２：Ｎｏ）、温度検出部１０８は、当該領域について次のようにする。すなわち、通常時より温度検出頻度を多くして温度値を検出する（Ｓ４０５）。
【００６９】
当該領域以外の領域であって、画像切り替わり前の温度値が当該領域と同程度であるような領域がない場合（Ｓ５０１：Ｎｏ）、温度検出部１０８は、当該領域について、通常時より温度検出頻度を多くして温度値を検出する（Ｓ４０５）。
【００７０】
すなわち、本実施例では、画像切り替わり前の温度値が同程度で、かつ、画像切り替わり前後での輝度変化量が同程度であるような領域が複数存在する場合、複数のうち１つの領域についてのみ温度値取得を通常時よりも高頻度で行う。そして、当該複数のうち他の領域については温度値取得を行わず、当該１つの領域について取得された温度値を流用する。温度値取得を行う領域の選択方法としては、例えば、Ｓ５０１，Ｓ５０２の条件判断
を領域番号順に行い、Ｓ５０１，Ｓ５０２の条件を満たす領域を、判断対象の領域より番号が若い領域のうちから探索するようにする。
【００７１】
この場合、図３の温度センサ及び領域の構成で図６の画像変化があった場合には、領域２００からＳ５０１，Ｓ５０２の判断が行われる。領域２００より領域番号の若い領域は存在しないので、Ｓ５０１，Ｓ５０２は否定判定（Ｎｏ）され、Ｓ４０５の処理が行われ、通常時より温度検出頻度が多くされる。領域２０３，２０４，２０７については、領域２００によりＳ５０１，Ｓ５０２が肯定判定されるため、Ｓ５０３の処理が行われ、温度検出は行われない。領域２０１，２０２，２０５，２０６については、Ｓ４０４で否定判定（Ｎｏ）され、Ｓ４０６の処理が行われ、通常時より温度検出頻度が少なくされる。
【００７２】
次に、図１０を用いて、実施例２の画像の切り替わり後の温度検出頻度の制御について説明する。
【００７３】
図６（ａ）に示すような、領域によって輝度が大きく異なる画像を閾値以上の時間表示した後、図６（ｂ）のように輝度が全面均一な画像に切り替わった場合について考える。画像切り替わり前の図３における領域２００、２０３、２０４、２０７の温度値が全て同程度であり、かつ、輝度変化量信号の値がこれらの領域で全て同じである場合、温度検出部１０８は、領域２００のみ温度検出を行い、それ以外の領域は温度検出を行わない。
【００７４】
この場合、画像切り替わり前の温度値と画像切り替わり前後の輝度変更量の値が同じであるため、画像切り替わり後の温度変化のしかたは領域２００，２０３，２０４，２０７の各領域で概ね同じようになると予測できる。従って、画像切り替わり後に収束する表示パネル内の温度値が領域２００，２０３，２０４，２０７の各領域で概ね同じ温度値になると予測できる。よって、温度検出部１０８は、領域２００についてのみ温度センサによる温度検出を行う。そして、バックライト制御部３０１は、検出した温度値から領域２００のＬＥＤの発光量を算出し、バックライト駆動部３０２は、算出された発光量で領域２００、２０３、２０４、２０７のＬＥＤを点灯させる。
【００７５】
なお、温度変化の挙動が同様であることが予測される複数の領域のうちどの領域の温度センサについて温度取得を行うかは、任意に設定できる。例えば、温度センサの識別番号が最も小さいものを用いたり、画面の中央に最も近いものを用いたり、等のように一定の規則に従って設定しても良いし、ランダムに設定しても良い。
【００７６】
例えば、温度センサ２０３から検出終了直後に画像の切り替わりが発生した場合、温度検出部１０８は、それまで検出した温度値は破棄し、新たな計算設定のための温度値を検出する。本実施例では、図１０（ａ）のように、温度検出部１０８は、画像切り替わり後、温度センサ２００による温度値の検出のみを行う。そして、この温度値に基づく計算設定により、領域２００，２０３，２０４，２０７のＬＥＤの発光量が設定される。そのため、領域２００，２０３，２０４，２０７において、画像の切り替わり前に取得された温度値に基づき算出された発光量でＬＥＤが点灯することにより輝度ムラが発生する時間は２秒間となる。また、高頻度で温度値及びそれに基づくＬＥＤ発光量の更新がなされるため、徐々に温度変化する場合にも各温度に適したＬＥＤ発光量が設定され、温度変化の過程での輝度ムラを抑制できる。
【００７７】
一方、実施例１では、温度検出部１０６は、輝度変化が大きい領域の全てについて通常時よりも高頻度で温度値を検出する。そのため、図１０（ｂ）のように、領域２００について見ると、画像切り替わり前に取得された温度値に基づき算出された発光量でＬＥＤが点灯することにより輝度ムラが発生する時間は５秒間となる。よって、実施例２は実施例１より更に短時間で輝度ムラを抑制することができる。
【００７８】
また、図１０（ａ）の実施例２の場合、領域２００についてのみ温度取得を行う計算設定１回で１サイクルをなす。温度センサ２００については、１サイクルで１回、温度値の取得が行われ、１サイクルの長さは２秒であるから、温度検出頻度は２秒に１回（０．５回／秒）である。実施例１の場合、温度センサ２００についての温度検出頻度は１９秒に３回（約０．１６回／秒）であった。よって、画像切り替わり後に温度が上昇する領域について、実施例１より実施例２の方が、同じ時間内により多くの回数、温度検出を行うことができ、輝度ムラをより低減することができる。
【００７９】
なお、図１０（ａ）の例では、輝度変化が閾値以上であって、かつ、画像切り替わり前の温度値及び輝度変化量が互いに同程度である領域が複数ある場合、そのうち１つの領域を除いて温度値取得を行わない例を示した。しかし、そのような複数の領域の総数より少ない数の領域を除いて温度値取得を行わないようにしても良い。また、図１０（ａ）の例では、輝度変化が閾値未満である領域について温度値取得を行わない例を示したが、通常時より温度検出頻度が低ければ、輝度変化が閾値未満である領域について温度値取得を行うようにしても良い。例えば、１サイクルを、温度センサ２００のみ温度値取得を行う計算設定を３回、全ての温度センサについて温度値取得を行う計算設定を１回、の計４回で構成することで、輝度変化が閾値未満の領域について通常時より少ない頻度で温度値検出が行われる。
【００８０】
以上のように、実施例２では、画像切り替わり前の温度値と輝度変化量信号の値に応じて、温度検出を行わない領域と温度検出頻度を多くする領域を設ける。実施例２では、画像が切り替わる前の温度値が互いに同程度で、かつ、輝度変化量信号が互いに同じ値である領域が複数ある場合は、その領域の一部で温度検出を行わない。これにより、輝度変化が大きい領域について実施例１より更に多い頻度で温度検出が行われるため、短時間で輝度ムラを低減することができる。
【００８１】
輝度変化検出部１０７が出力する輝度変化量信号が示す変化量を３段階としたが、これに限るものではなく、段階数はより多くても少なくても良い。
【００８２】
実施例２に記載の画像表示装置２０によれば、実施例１と同様に、画像切り替わり前の表示時間と画像切り替わり前後の輝度変化量に応じて、温度センサの温度検出頻度が変えられる。これにより、画像切り替わり時の輝度ムラを低減させ、画質劣化なく表示することが可能である。
【００８３】
（実施例３）
実施例１及び実施例２において、黒帯のある静止画像を閾値以上の時間表示し、その後、黒帯のない静止画像を表示した際の温度検出頻度の変更について説明した。
【００８４】
これに対し、実施例３では、２つの異なる画像を画面の異なる領域に表示する２画面表示から、１つの画像を画面全体に表示する１画面表示へ切り替わった場合の温度検出頻度の変更について説明する。また実施例３は、２画面表示及び１画面表示における表示画像が静止画像及び動画像のどちらの場合でも適用できる。
【００８５】
以下、図面を参照しながら、実施例３について説明する。
図１１は、実施例３に係る画像表示装置３０の概略を示す図である。
実施例３の画像表示装置３０は、表示形態変更部１０９、画像表示時間計測部１１０、温度検出部１１１、及び制御部１１２の構成が実施例１と異なる。実施例１の画像切り替え検出部１０３と温度検出部１０６は実施例３の画像表示装置３０にはない。よって、実施例３では、表示形態変更部１０９、画像表示時間計測部１１０、温度検出部１１１、及
び制御部１１２について説明を行う。また、表示形態変更部１０９、画像表示時間計測部１１０、温度検出部１１１、及び制御部１１２以外の各処理部は、実施例１と同様の処理を実行するため、同じ参照符号を付し、説明を省略する。
【００８６】
表示形態変更部１０９は、制御部１１２が出力する表示形態変更信号に従って、２つ以上の入力画像の切り替え及び表示レイアウト変更等を行う。
【００８７】
画像表示時間計測部１１０は、制御部１１２が出力する表示形態変更信号に基づいて、表示形態の変更から次の表示形態の変更までの表示時間を計測し、計測した表示時間の情報を表示時間信号として出力する。
【００８８】
温度検出部１１１は、画像表示時間計測部１１０が出力した表示時間信号と、輝度変化検出部１０５が出力した領域毎の輝度変化検出信号と、制御部１１２が出力した表示形態変更信号に基づいて、各領域の温度センサから温度値を取得する。そして、温度検出部１１１は、取得した温度値をＡ／Ｄ変換して出力する。実施例３では、温度検出部１１１が一度に取得できる温度値の個数を１個とし、１個の温度センサから温度値を取得するのに要する時間を１秒として説明する。各温度センサから温度値を取得する詳細な動作については、後述する。
【００８９】
制御部１１２は、図示しないユーザの指示に基づいて、入力画像の切り替え及び表示レイアウト変更を行う。制御部１１２は、表示形態変更部１０９、画像表示時間計測部１１０、及び温度検出部１１１に表示形態の変更を指示する表示形態切替信号を出力する。表示形態とは、１画面表示か２画面表示かの表示の態様である。２画面表示とは、２つの異なる入力画像信号に基づく画像を画面の異なる領域に表示する表示の態様である。
【００９０】
図１２は、明るい画像と暗い画像の２画面表示から明るい画像の１画面表示に、画像が切り替わった様子を示している。
【００９１】
以下、図１２のように表示形態が切り替わった際の温度検出部１１１の動作について説明を行う。
【００９２】
図１３は、温度検出部１１１の動作を説明するフローチャートである。
【００９３】
温度検出部１１１は、制御部１１２から出力された表示形態変更信号に基づき表示形態に変更があるか否か判断する（Ｓ６０１）。表示形態に変更がある場合（Ｓ６０１：Ｙｅｓ）、温度検出部１１１は、画像表示時間計測部１１０から表示形態変更前の表示時間を取得する（Ｓ６０２）。表示形態変更前の表示時間が閾値以上の場合（Ｓ６０３：Ｙｅｓ）、温度検出部１１１は、画像の切り替わり前後での輝度変化が閾値以上か否かを領域毎に判定する（Ｓ４０４）。
【００９４】
表示形態変更前後での輝度変化が閾値以上と判定される領域（Ｓ４０４：Ｙｅｓ）については、温度検出部１１１は、当該領域の温度検出を行う頻度を通常時より多くする（Ｓ４０５）。
【００９５】
表示形態変更前後での輝度変化が閾値未満と判定される領域（Ｓ４０４：Ｎｏ）については、温度検出部１１１は、当該領域の温度検出を行う頻度を通常時より少なくする（Ｓ４０６）。
【００９６】
表示形態変更前の画像の表示時間が閾値未満の場合（Ｓ６０３：Ｎｏ）、温度検出部１１１は、通常時と同じ処理を行う。
【００９７】
その後、各領域間の温度差が閾値以上の場合（Ｓ４０７：Ｎｏ）、温度検出部１１１は、現在の温度検出頻度で温度値を検出し続ける。各領域間の温度差が閾値未満の場合（Ｓ４０７：Ｙｅｓ）、温度検出部１１１は、通常時と同じ処理に戻す（Ｓ４０８）。この閾値としては、例えば、２度とするのが好ましい。
【００９８】
次に、図１４を用いて実施例３の表示形態変更後の温度検出頻度の制御について説明する。
【００９９】
図１２（ａ）に示すような２画面表示で左右で輝度が大きく異なる画像を閾値以上の時間表示し、その後、図１２（ｂ）のように１画面表示に切り替えられ、輝度が全面均一な画像に変更された場合を考える。図３における領域２０２、２０３、２０６、２０７は輝度変化が閾値以上の領域であるため、温度検出部１１１は、温度センサ２０２、２０３、２０６、２０７からの検出頻度を通常時より多くする。一方、図３における領域２００、２０１、２０４、２０５は輝度変化が閾値未満の領域であるため、温度検出部１１１は、温度センサ２００、２０１、２０４、２０５からの検出頻度を通常時より少なくする。
【０１００】
例えば、温度センサ２０３から検出終了直後に画像の表示形態の変更が発生した場合、温度検出部１１１は、それまで検出した温度値は破棄し、新たな計算設定のための温度値を検出する。本実施例では、図１４（ａ）のように、温度検出部１１１は、３回の計算設定のうち２回は、輝度変化が閾値以上の領域の温度センサ（温度センサ２０２、２０３、２０６、２０７）からのみ温度検出を行う。更に、３回の計算設定のうち１回は、全領域の温度センサから温度値の取得を行う。
【０１０１】
これにより、例えば領域２０３について見ると、表示形態変更後に取得された温度値に基づき算出された発光量は計算設定２０で設定される。そのため、表示形態切り替わり前に取得された温度値、すなわち実際の温度とずれた温度に基づき算出された適切でない発光量でＬＥＤが点灯することにより輝度ムラが生じる時間は５秒間のみとなる。
【０１０２】
一方、従来は温度検出頻度を変更しない。すなわち、毎回の計算設定において、全領域の温度センサについて温度値の取得が行われる。図１４（ｂ）のように、領域２０３について見ると、表示形態変更後に取得された温度値に基づき算出された発光量は計算設定６において設定される。そのため、表示形態変更前に取得された温度値、すなわち実際の温度とずれた温度に基づき算出された適切でない発光量でＬＥＤが点灯することにより輝度ムラが生じる時間は１４秒間となる。よって、実施例３は従来と比較して半分以下の時間で輝度ムラを抑制することができる。
【０１０３】
また、図１４（ｂ）の従来例では、図７（ｂ）と同様、１回の計算設定が１サイクルを構成する。そして、例えば温度センサ２０３については、１サイクルで１回、温度値の取得が行われ、１サイクルの長さは９秒であるから、温度検出頻度は９秒に１回（約０．１１回／秒）である。
【０１０４】
一方、図１４（ａ）に示す実施例３では、輝度差が閾値以上の領域についてのみ温度値取得を行う計算設定２回と、全ての領域について温度値取得を行う計算設定１回と、の計３回の計算設定が１サイクルをなす。輝度差が閾値以上の領域についてのみ温度値取得を行う計算設定に要する時間は５秒であり、全ての領域について温度値取得を行う計算設定に要する時間は９秒であるから、１サイクルの長さは１９秒である。例えば、温度センサ２０３について温度検出頻度を考えると、１サイクルで３回の温度値取得が行われるから、温度検出頻度は１９秒に３回（約０．１６回／秒）である。温度センサ２００について温度検出頻度を考えると、１サイクルで１回の温度値取得が行われるから、温度検出頻度
は１９秒に１回である（約０．０５回／秒）。
【０１０５】
よって、表示形態変更後に温度が上昇する領域に対して、従来と比較して実施例３の方が同じ時間内で温度検出を行う回数を増やすことができるので、輝度ムラをより低減することができる。
【０１０６】
その後、温度検出部１１１は、Ｓ４０７〜Ｓ４０８の処理により、各領域間の温度差がなくなるまで温度検出頻度を変更したまま温度値を検出する。表示パネル内の温度が飽和（収束）して各領域間の温度差がなくなった後、温度検出部１１１は、通常時の温度検出頻度に戻して温度検出を行う。
【０１０７】
以上により、実施例３では、閾値以上の時間、同じ表示形態で画像を表示した後に表示形態が変更された場合に、複数の領域のうち、表示形態変更前後で輝度変化が閾値以上の領域については、温度検出頻度が通常時より多くされる。また、複数の領域のうち、表示形態変更前後で輝度変化が閾値未満の領域については、温度検出頻度が通常時より少なくされる。これにより、温度変化が閾値以上の領域の温度値を短時間（高頻度）で検出でき、輝度変化に伴う温度変化に精度良く追随して実際の温度に近い温度に基づき算出された発光量でＬＥＤを点灯させることができる。そのため、画像切り替わり後の輝度ムラを低減することができる。
【０１０８】
実施例３における表示形態の変更は、上記の２画面表示から１画面表示の切り替わりに限るものではなく、１画面表示から２画面表示、または多画面表示からの変更であっても良い。
【０１０９】
実施例３の温度検出部１１１は、実施例２で用いた輝度変更量信号と輝度変化検出信号を用いて、温度検出を行っても良い。すなわち、表示形態変更前の温度が互いに同程度で、表示形態変更前後での輝度差が互いに同程度であるような領域が複数ある場合、そのうちの一部の領域についてのみ温度値取得を高頻度で行い、それ以外の領域については温度値取得を行わないようにしても良い。
【０１１０】
実施例３に記載の画像表示装置３０によれば、表示形態変更前の表示時間と表示形態変更前後の輝度変化量に応じて、温度センサの温度検出頻度を変えることで、表示形態変更時の輝度ムラを低減させ、画質劣化を抑制することが可能である。
【０１１１】
（実施例４）
実施例１、実施例２、及び実施例３においては、温度検出部１０６、１０８、１１１が一度に取得できる温度値の個数を１個とした場合について説明した。
実施例４では、温度検出部が一度に複数の温度値を取得可能な場合について説明する。
【０１１２】
以下、図面を参照しながら、実施例４について説明する。
図１５は、実施例４に係る画像表示装置４０の概略を示す図である。
実施例４の画像表示装置４０は、実施例１の温度検出部１０６の代わりに温度検出部１１３を備える構成が実施例１と異なる。よって、実施例４では、温度検出部１１３について説明を行う。また、温度検出部１１３以外の各処理部は、実施例１と同様の処理を実行するため、同じ参照符号を付し、説明を省略する。
【０１１３】
温度検出部１１３は、画像切り替え検出部１０３が出力した画像切替信号と、画像表示時間計測部１０４が出力した表示時間信号と、輝度変化検出部１０５が出力した領域毎の輝度変化検出信号に基づいて、各領域の温度センサから温度値を取得する。温度検出部１１３は、取得した温度値をＡ／Ｄ変換して出力する。実施例４では、温度検出部１１３が
一度に取得できる温度値の個数を２個とし、同時に２個の温度センサから温度値を取得するのに要する時間を１秒として説明する。
【０１１４】
温度検出部１１３の動作は、実施例１の図５のフローチャートと同じとし、図６のように画像が切り替わった場合について説明を行う。
【０１１５】
次に、図１６を用いて、実施例４の画像の切り替わり後の温度検出頻度の制御について説明する。
【０１１６】
図６（ａ）に示すような領域で輝度が大きく異なる画像を閾値以上の時間表示し、その後、図６（ｂ）のように輝度が全面均一な画像に切り替わった場合を考える。図３における領域２００、２０３、２０４、２０７は輝度変化が閾値以上の領域であるため、温度検出部１１３は、温度センサ２００、２０３、２０４、２０７からの検出頻度を通常時より多くする。一方、図３における領域２０１、２０２、２０５、２０６は輝度変化が閾値未満の領域であるため、温度検出部１１３は、温度センサ２０１、２０２、２０５、２０６からの検出頻度を通常時より少なくする。
【０１１７】
例えば、温度センサ２０２、２０３から検出終了直後に画像の切り替わりが発生した場合、温度検出部１１３は、それまで検出した温度値は破棄し、新たな計算設定のための温度値を検出する。
【０１１８】
図１６（ａ）の例では、温度検出部１１３は、３回の計算設定のうち２回は、輝度変化が閾値以上の領域の温度センサ（温度センサ２００、２０３、２０４、２０７）からのみ温度検出を行う。更に、３回の計算設定のうち１回は、全領域の温度センサから温度値を検出する。
【０１１９】
これにより、例えば領域２００について見ると、画像切り替わり後に取得された温度値に基づき算出された発光量は計算設定２４において設定される。そのため、画像切り替わり前に取得された温度値、すなわち実際の温度とずれた温度に基づき算出された適切でない発光量でＬＥＤが点灯することにより輝度ムラが発生する時間は画像切り替わりから３秒間となる。これは、図１６（ａ）に示すように、温度検出部１１３は一度に取得できる温度値の個数が２個であるためである。
【０１２０】
一方、実施例１では、図１６（ｂ）に示すように、温度検出部が一度に取得できる温度値の個数が１個であるため、図１６（ｂ）のように領域２００に輝度ムラが発生する時間は５秒間となる。よって、実施例４は実施例１より更に短時間で輝度ムラを抑制することができる。
【０１２１】
図１６（ａ）に示す実施例４では、輝度差が閾値以上の領域についてのみ温度値取得を行う計算設定２回と、全ての領域について温度値取得を行う計算設定１回と、の計３回の計算設定が１サイクルをなす。輝度差が閾値以上の領域についてのみ温度値取得を行う計算設定に要する時間は３秒であり、全ての領域について温度値取得を行う計算設定に要する時間は５秒であるから、１サイクルの長さは１１秒である。例えば温度センサ２００、２０３について温度検出頻度を考えると、１サイクルで３回の温度値取得が行われるから、温度検出頻度は１１秒に３回（約０．２７回／秒）である。よって、画像切り替わり後に温度が上昇する領域に対して、実施例１より実施例４の方が、温度検出頻度をより多くすることができ、実際の温度により近い温度に基づき算出される発光量でＬＥＤを点灯させることができる。
【０１２２】
以上により、温度センサが一度に複数の温度値を取得できる場合、同時に複数の領域の
温度値を検出できるため、実施例１より更に短時間で輝度ムラを低減することができる。
【０１２３】
温度検出部１１３が取得できる温度値の個数は、上記の例に限るものではなく、より多くの取得個数であっても良い。また、実施例４は、実施例２及び実施例３にも適用可能である。
【０１２４】
実施例４に記載の画像表示装置４０によれば、温度センサが１度に複数の温度値を取得可能であるため、画像切り替わり前の表示時間と画像切り替わり前後の輝度変化量に応じて、画像切り替わり時の輝度ムラをより短時間で低減することができる。
【符号の説明】
【０１２５】
１０  画像表示装置、１０２  表示パネル、１０６  温度検出部、２００  温度センサ、３００  バックライト部、３０１  バックライト制御部、３１０  ＬＥＤ
【図１】
2014186122.tif 000003
【図２】
2014186122.tif 000004
【図３】
2014186122.tif 000005
【図４】
2014186122.tif 000006
【図５】
2014186122.tif 000007
【図６】
2014186122.tif 000008
【図７】
2014186122.tif 000009
【図８】
2014186122.tif 000010
【図９】
2014186122.tif 000011
【図１０】
2014186122.tif 000012
【図１１】
2014186122.tif 000013
【図１２】
2014186122.tif 000014
【図１３】
2014186122.tif 000015
【図１４】
2014186122.tif 000016
【図１５】
2014186122.tif 000017
【図１６】
2014186122.tif 000018
【図１７】
2014186122.tif 000019
【図１８】
2014186122.tif 000020
【図１９】
2014186122.tif 000021